(57)【要約】  本開示は、トランプカードをトランプカードシューから取り出させないようにする、トランプカードシュー用のセキュリティ装置を対象とする。トランプカードシューは、一般に、複数のトランプカードを保持するカードクレードルを含む細長い本体を有する。カードクレードルは、細長い本体の前端に近接して出口開口部を有し、そこを通ってトランプカードをトランプカードシューから引くことができる。クレードルカバーは、細長い本体に取り外し可能に取り付けられ、その中でカードクレードルとトランプカードを覆っている。フェースプレートは、細長い本体の外側の前端に取り外し可能に取り付けられ、出口を画定し、トランプカードは出口開口部から該出口を通って引き出される。セキュリティ装置は、トランプカードがシューから引き出されないようにし、出口開口部を閉塞する及び／又は覆うようにトランプカードシューに取り外し可能に取り付けられる。
2014515306.tif 000002
【特許請求の範囲】
【請求項１】
トランプカードシューであって、
複数のトランプカードを保持するカードクレードルを有する細長い本体であって、前記カードクレードルが、前記細長い本体の前端に隣接して出口開口部を有する、細長い本体と、
前記細長い本体に取り外し可能に取り付けでき、前記カードクレードルを覆うクレードルカバーと、
前記細長い本体の前記前端において外面に取り外し可能に取り付けでき、前記出口開口部から引かれるトランプカードが通る出口を定義するフェースプレートと、
前記出口開口部からトランプカードが取り出されないように前記出口開口部を選択的に閉塞する手段と
を備える、トランプカードシュー。
【請求項２】
前記出口開口部を閉塞する前記手段は、第一端及び第二端を有するカードシールドを備え、前記カードシールドは、前記第一端を前記トランプカードと前記出口開口部との間に位置付けながら前記カードクレードル内に選択的に位置付け可能であり、前記第一端の少なくとも一部分は、前記出口開口部を通って延在している、請求項１に記載のトランプカードシュー。
【請求項３】
前記出口開口部を閉塞する前記手段は、前記クレードルカバーの底面に取り付けられる保持部材をさらに備え、前記保持部材は、前記カードシールドの少なくとも一部分に係合する、請求項２に記載のトランプカードシュー。
【請求項４】
前記出口開口部を閉塞する前記手段は、前記トランプカードと前記出口開口部との間に選択的に位置付け可能なカットカードを備え、前記カードシールドの前記第一端は、前記カットカードと前記出口開口部との間に位置付けられ、前記第一端の少なくとも一部分は、前記出口開口部を通って延在している、請求項３に記載のトランプカードシュー。
【請求項５】
前記保持部材は磁石である、請求項４に記載のトランプカードシュー。
【請求項６】
前記カードシールドは、磁性材料から作られている、請求項５に記載のトランプカードシュー。
【請求項７】
前記出口開口部を閉塞する前記手段は、上面が堅固である前面カバーを備え、前記前面カバーは、前記細長い本体の前記前端において外面に取り外し可能に取り付けでき、前記出口開口部からトランプカードが取り出されないように前記出口開口部を覆う、請求項１に記載のトランプカードシュー。
【請求項８】
前記前面カバーは、ロック機構を備える、請求項７に記載のトランプカードシュー。
【請求項９】
前記出口開口部を閉塞する前記手段は、上面が堅固であるフェースプレートインサートを備え、前記フェースプレートインサートは、前記フェースプレートの前記出口内に取り外し可能に取り付けでき、前記出口開口部からトランプカードが取り出されないように前記出口開口部を覆う、請求項１に記載のトランプカードシュー。
【請求項１０】
前記前面カバーは、ロック機構を備える、請求項９に記載のトランプカードシュー。
【請求項１１】
複数のトランプカードを保持するカードクレードルを含む細長い本体であり、前記カードクレードルが前記細長い本体の前端に隣接して出口開口部を有しする細長い本体と、前記細長い本体に取り外し可能に取り付けでき、前記カードクレードルを覆うクレードルカバーと、前記細長い本体の前記前端の外面に取り外し可能に取り付けでき、前記出口開口部から引かれるトランプカードが通る出口を定義するフェースプレートとを有するトランプカードシューに使用するセキュリティ装置であって、
前記トランプカードシューにおいて前記出口開口部からトランプカードが取り出されないように、前記トランプカードシューに選択的に取り付け可能な閉塞手段
を備えるセキュリティ装置。
【請求項１２】
前記閉塞手段は、第一端及び第二端を有するカードシールドを備え、前記カードシールドは、前記第一端を前記トランプカードと前記出口開口部との間に位置付けながら、前記トランプカードシューの前記カードクレードル内に選択的に位置付け可能であり、前記第一端の少なくとも一部分は、前記出口開口部を通って延在している、請求項１１に記載のセキュリティ装置。
【請求項１３】
前記閉塞手段は、前記クレードルカバーの底面に取り付けられる保持部材をさらに備え、前記保持部材は、前記カードシールドの少なくとも一部分に係合する、請求項１２に記載のセキュリティ装置。
【請求項１４】
前記閉塞手段は、前記トランプカードと前記出口開口部との間に選択的に位置付け可能なカットカードをさらに備え、前記カードシールドの前記第一端は、前記カットカードと前記出口開口部との間に位置付けられ、前記第一端の少なくとも一部分は、前記出口開口部を通って延在している、請求項１３に記載のセキュリティ装置。
【請求項１５】
前記保持部材は磁石である、請求項１４に記載のセキュリティ装置。
【請求項１６】
前記カードシールドは、磁性材料から作られている、請求項１５に記載のセキュリティ装置。
【請求項１７】
前記閉塞手段は、上面が堅固である前面カバーを備え、前記前面カバーは、前記細長い本体の前記前端において外面に取り外し可能に取り付けでき、前記出口開口部からトランプカードが取り出されないように前記出口開口部を覆う、請求項１に記載のセキュリティ装置。
【請求項１８】
前記前面カバーは、ロック機構を備える、請求項１７に記載のセキュリティ装置。
【請求項１９】
前記閉塞手段は、上面が堅固であるフェースプレートインサートを備え、前記フェースプレートインサートは、前記フェースプレートの前記出口内に取り外し可能に取り付けでき、前記出口開口部からトランプカードが取り出されないように前記出口開口部を覆う、請求項１に記載のセキュリティ装置。
【請求項２０】
前記前面カバーは、ロック機構を備える、請求項１９に記載のセキュリティ装置。
【発明の詳細な説明】
【技術分野】
【０００１】
本発明は、トランプカードシューに関し、より具体的には、トランプカードシューの出口からトランプカード（playing cards）が取り出されないようにする装置に関する。
【背景技術】
【０００２】
カジノにおけるカードゲームは収益性の高いものであるが、プレーヤーやカジノのスタッフによる詐欺行為が起こりやすくもある。こうした不正行為は、カジノの重大な収益損失の要因となる。カジノのカードゲームにおいて、各カードはカードシューからプレーヤーに配られる。こうした損失を防止及び／又は軽減するために、カジノは、セキュリティの機能や強化を明確にし、それらを実行し続けている。
【発明の概要】
【発明が解決しようとする課題】
【０００３】
カードシューは、カードクレードル（card cradle）及びカード取出部、つまり出口を有している。施錠可能なカバーは、カードクレードル上に取り外し可能に設置でき、権限なくカードに接触させないようにする。しかしながら、シューの出口は開放されたままであり、シューに操作者が伴わない際に、カードへの接触を許してしまう。
【課題を解決するための手段】
【０００４】
本開示は、トランプカードをトランプカードシューから取り出させないようにする、トランプカードシュー用のセキュリティ装置を対象とする。トランプカードシューは、一般に細長い本体を有し、該細長い本体は、複数のトランプカードを保持するカードクレードルを含んでいる。カードクレードルは、トランプカードをトランプカードシューから取り出すことができる出口開口部を細長い本体の前端に近接して有する。クレードルカバーは、細長い本体に取り外し可能に取り付けられ、その中にカードクレードルとトランプカードを覆っている。フェースプレートは、細長い本体の外側の前端に取り外し可能に取り付けでき、トランプカードを出口開口部から引くことができる出口を定義する。
【０００５】
当該セキュリティ装置は、トランプカードシューの前面において、トランプカードが出口開口部を通って取り出されないようにする装置を対象としている。これを達成するために、セキュリティ装置は、出口開口部を閉塞する及び／又は覆うように、トランプカードシューに取り外し可能に取り付けられる。
【０００６】
そのような装置は、第一端及び第二端を有するカードシールドを含むことができ、該カードシールドは、トランプカードシューのカードクレードル内に位置付け可能である。カードシールドの第一端は、その少なくとも一部を出口開口部を通して延在させながら、トランプカードと出口開口部との間に位置付けられる。このようにして、カードシールドは、出口開口部を閉塞する。
【０００７】
当該セキュリティ装置は、クレードルカバーの底面部分に固定される保持部材をさらに有することができる。保持部材は、設置されるとカードシールドの少なくとも一部分と係合する。トランプカードと出口開口部との間に位置付け可能なカットカードがさらに設けられ、カードシールドの第一端は、カットカードと出口開口部との間に位置付けられる。セキュリティ装置が設置されると、トランプカードは出口開口部から取り出されないようになる。さらに、カードシールドは、トランプカードシュー内に固定され、トランプカードシュー内に押し込まれたり、又はシューから引き出したりすることはできない。
【０００８】
あるいは、セキュリティ装置は、トランプカードシューの外側の前端上に位置付け可能な前面カバーを有することができる。前面カバーは、外面が堅固であり、設置されるとトランプカードシューの出口開口部を覆う。前面カバーは、前面カバーを本体に固定するロック機構をさらに有することができる。
【０００９】
前面カバーを設置するためには、まずフェースプレートを取り外さなければならない。その後、前面カバーをトランプカードシューの前端上にスナップ嵌合させることができる。トランプカードシューをゲーム準備完了状態にするためには、当該前面カバーを外してフェースプレートを再設置する。
【００１０】
別の方法として、セキュリティ装置は、フェースプレートの出口内に位置付け可能なフェースプレートインサートを有することができる。フェースプレートインサートは、外面が堅固であり、設置されるとトランプカードシューの出口開口部を覆う。フェースプレートインサートは、前面カバーを本体に固定するロック機構をさらに有することができる。トランプカードシューをゲーム準備完了状態にするためには、フェースプレートインサートを取り外す。
【００１１】
本発明のより完全な理解、及び本発明に伴う利益や特徴は、付随の図面と併せて考慮した場合、以下の詳細な説明を参照することによってより容易に理解されるであろう。
【図面の簡単な説明】
【００１２】
【図１】本開示の例示的なカードシューを示している。
【図２】シューカバーが取り外された状態の図１のカードシューを示している。
【図３】本発明の保持用磁石を示している。
【図４】本発明のカードシールドを示している。
【図５】本発明のカットカードを示している。
【図６】保持用磁石を含むシューカバーの底面図を示している。
【図７】カードシールドを含むシューカバーの底面図を示している。
【図８】シューカバーの側断面図を示している。
【図９】図１のカードシューにおけるカットカードの位置を示している。
【図１０】図１のカードシューにおけるカードシールドの位置を示している。
【図１１】保護された状態の図１のカードシューを示している。
【図１２】本開示の別の例示的なカードシューを示している。
【図１３】本発明の前面カバーを示している。
【図１４】図１２のカードジュー上に配置された図１３の前面カバーを示している。
【図１５】本発明の別の前面カバーを示している。
【図１６】図１２のカードジュー上に配置された図１５の前面カバーを示している。
【図１７】本発明のフェースプレートインサートを示している。
【図１８】図１２のカードシュー上に配置された図１７のフェースプレートインサートを示している。
【図１９】本発明の別のフェースプレートインサートを示している。
【図２０】図１２のカードシュー上に配置された図１９のフェースプレートインサートを示している。
【発明を実施するための形態】
【００１３】
本開示は、賭博産業で使用されるカードシューセキュリティシステムを対象とする。当該セキュリティシステムは、カードシューの出口を保護し、トランプカードがそこから取り出されないようにする。
【００１４】
次に、類似の参照符号は同様の要素を意味する各図面を参照すると、図１及び図２には、例示的なカードシュー１０が示されている。カードシュー１０は、一般に、複数組のトランプカードを収める大きさのカードクレードル１４を有する本体部１２を含む。カードクレードル１４は、トランプカードがカードクレードル１４の先頭に向かって摺動するように角度を付けて設置され、それによりカードシュー１０の出口開口部１５を通ってカードを取り出すことができる。荷重したマウス１８は、カードクレードル１４内でトランプカードの後ろに配置可能であり、トランプカードをカードクレードル１４の先頭に向かわせる（図９を参照）。フェースプレート２０は、出口開口部１５に隣接して本体１２の前面２２上に配置され、出口１６を定義する略逆Ｖ形又は略逆Ｕ形の開口を有しており、トランプカードは、ディーラーによって出口開口部１５から該出口１６を通って引き抜かれる。シューカバー２４は、本体１２上に取り外し可能に配置でき、カードクレードル１４や各トランプカードを覆っている。シューカバー２４は、ロック機構（不図示）によって本体１２に固定でき、カードクレードル１４内でのトランプカードに対する不必要な接触を防止する。
【００１５】
図３及び図４を参照すると、本開示のカードシュー保護システムの各構成部分が提供されている。カードシュー保護システムは、第一の側面３２及び第二の側面３４を有する保持用磁石３０を含み、第二の側面３４は、粘着剤を含んでいる。カードシュー保護システムは、カードシールド３６及びカットカード３８をさらに有している。カードシールド３６は、長さ「Ｌ」と幅「Ｗ」を有し、長さ「Ｌ」と幅「Ｗ」は、カードシュー１０のカードクレードル１４内で嵌合するように選択される。カードシールド３６は、カードシュー１８の出口１６を部分的に通って延在する大きさにすることができ、カードクレードル１４内でトランプカードの少なくとも一部を覆っている。ある実施形態では、カードシールド３６の長さ「Ｌ」は、約８インチ（２０．３２センチメートル）であり、幅は約３．５インチ（８．８９センチメートル）である。これらの寸法は、本明細書に設けられる例示的なカードシュー１０内にカードシールド３６を適合させるように選択される。しかしながら、カードシールド３６の寸法は、そこで使用されるカードシューの寸法に合わせて多様化できる。
【００１６】
カードシールド３６は、薄型の磁性材料で形成することができ、それによりカードシールド３６は、保持用磁石３０によって保持され得る。あるいは、カードシールド３６は、中に磁性体インサートを有するプラスチックなどの非磁性材料から形成することができる。このように、カードシールド３６は、保持用磁石３０によって保持することができる。カットカード３８は、トランプカードの大きさである。カードシールド３６の開示された保持方法は磁石を使用しているが、他の保持手段でも達成でき、カードシールド３６上に、保持用磁石３４の代わりに面ファスナーを使用することもできるが、それに限定されるわけではない。
【００１７】
図７及び図８を参照すると、カードシュー保護システムは、以下のようにカードシュー１０内に収容される。保持用磁石３０の第二の側面３４は、粘着剤によってシューカバー２４の底面４０に貼り付けられる。保持用磁石３０は、シューカバー２４の前端４２に近位に配置されている。カードシールド３６は、保持用磁石４０をカードシールド３６の少なくとも一部に接触及び保持させながら、シューカバー２４の底面４０上に設置される。カットカード３８は、シューカバー２４の底面４０とカードシールド３６との間に置かれる。本構造においては、シューカバー２４は、カードシュー本体１２上に位置付けでき、トランプカードをカードシュー１０の出口１６から自由に引き出せるようにする。
【００１８】
図９及び図１０を参照すると、カードシュー１０を保護するには、シューカバー２４をカードシュー本体１２から取り外す。シューカバー２４の底面４０によりカットカード３８及びカードシールド３６が取り外される。カットカード３８は、その少なくとも一部をカードシュー１０の出口１６内に延在させたまま、カードクレードル１４の前面４４とトランプカード４６との間に位置付けられる。カードシールド３６の第一端４８は、カットカード３８とカードシュー１０のカードクレードル１６の前面４４との間に位置付けられる。カードシールド３６の少なくとも一部分は、カードシュー１２の出口１６に位置付けられ、それによりカードシールド３６の第一端４８がカードシュー１０の出口１６を閉塞することとなる。カードシールド３６の残りの部分５０は、各トランプカード４６上に位置付けられる。シューカバー２４をカードシュー本体１２上に再設置する。本構成においては、カードシールド３６の第一端４８で出口１６を閉塞して、トランプカード４６がカードシュー１０から取り出されないようにしている。さらに、カードシールド３６は、保持用磁石３０によってカードシュー１０内に固定され、カードシュー１０内に押し戻されることも、カードシュー１０の出口１６から引き抜かれることもない。
【００１９】
ゲームプレー用にカードシュー１０を構成するには、シューカバー２４をカードシュー１０の本体１２から取り外す。カードシールド３６は、カードシュー１０の出口１６から外される。カードシールド３６は、保持用磁石４０にカードシールド３６を保持させながら、シューカバー２４の底面４０に設置される。カットカード３８は、カードクレードル１４から外され、次にシューカバー２４の底面４０とカードシールド３６との間に置かれる。シューカバー２４をカードシュー本体１２上に戻し、トランプカード４６をカードシュー１０の出口１６から自由に引き出せるようにする。
【００２０】
図１２を参照すると、例示的なカードシュー６０が示されている。カードシュー６０は、一般に、複数組のトランプカードを収める大きさのカードクレードル（不図示）を有する本体部６２を含む。カードクレードルは、角度を付けて設けられており、それによってトランプカードはカードクレードルの前部に向かって摺動し、カードシュー６０の前部に位置する出口開口部６３を通って取り出せる。フェースプレート６８は、出口開口部６３に近接して、本体６２の前面６６上に位置付けられる。フェースプレート６８は、出口６４を定義する略逆Ｖ形又は略逆Ｕ形の開口７０を有し、ディーラーは、該出口６４を通じてトランプカードを出口開口部６３から引く。シューカバー７２は、取り外し可能に本体６２上に位置付けでき、カードクレードル及び各トランプカードを覆っている。シューカバー７２は、ロック機構（不図示）によって本体６２に固定させることができ、カードクレードル内でのトランプカードに対する不必要な接触を防止する。
【００２１】
図１３を参照すると、前面カバープレート７６が設けられている。前面カバープレート７６は、第一端部７８及び第二端部８０を含み、堅固な前面８２を有している。前面カバープレート７６は、フェースプレート６８に代えて、カードシュー本体６２の前面６６上に嵌合する大きさに構成されている。
【００２２】
図１４を参照すると、カードシュー６０を保護するには、まずフェースプレート６８をカードシュー本体６２の前面６６から取り外す。フェースプレート６８は、カードシュー本体６２の前面６６に取り外し可能に取り付けられ、容易に取り外しできる。例えば、フェースプレート６８は、環状又は片持ちスナップ嵌合機構を使用してカードシュー本体６２上にスナップ嵌合できる。
【００２３】
前面カバープレート７６は、次に、第一端７８を前面６６の上部に隣接して位置付け、さらに第二端８０を前面６６の下部に位置付けながら、カードシュー本体６２の前面６６上に配置され、取り付けられる。前面カバープレート７６は、カードシュー本体６２の前面６６に取り外し可能に取り付けられ、容易に設置及び取り外しできる。例えば、フェースプレート６８は、環状又は片持ちスナップ嵌合機構を用いてカードシュー本体６２上にスナップ嵌合できる。前面カバープレート７６は堅固な前面８２を有するため、前面カバープレート７６は、カードシュー本体６２の前面６６を通るトランプカードへの接触を防止する。
【００２４】
カードシュー６０をゲームプレー用に構成するには、まず前面カバープレート７６を取り外す。フェースプレート６８は、次にカードシュー本体６２の前面６６上に配置され、取り付けられる。カードシュー本体６２上にフェースプレート６８を再設置することによって、トランプカードをカードシュー６０の出口６５から自由に引き出せるようにする。
【００２５】
図１５を参照すると、別の前面カバープレート９０が設けられている。前面カバープレート９０は、第一端９２及び第二端９４を含み、堅固な前面９６を有している。前面カバープレート９０は、フェースプレート６８に代えて、カードシュー本体６２の前面６６上に嵌合する大きさに構成されている。前面カバープレート９０は、機械式アクチュエータ１００とレバーアーム１０２とを有するロック機構９８をさらに含み、アクチュエータ１００の起動によって、レバーアーム１０２をロック解除位置からロック位置に、またロック位置からロック解除位置に回転させる。一実施例において、アクチュエータ１００は、押下スイッチとして示され、該スイッチを押すことによってレバーアーム１０２をロック解除位置からロック位置に、ロック位置からロック解除位置に回転させる。しかしながら、鍵システムや回転アクチュエータなどを含む他の機械式アクチュエー１００も考えられる。
【００２６】
図１６を参照すると、カードシュー６０を保護するには、まずフェースプレート６８をカードシュー本体６２の前面６６から取り外す。フェースプレート６８は、カードシュー本体６２の前面６６に取り外し可能に取り付けられ、容易に取り外しできる。例えば、フェースプレート６８は、環状又は片持ちスナップ嵌合機構を用いて、カードシュー本体６２上にスナップ嵌合できる。
【００２７】
前面カバープレート９０は、次に、第一端９２を前面６６の上部に近接して位置付け、さらに第二端９４を前面６６の下部に位置付けながら、カードシュー本体６２の前面６６に位置付けられ、取り付けられる。前面カバープレート９０は、カードシュー本体６２の前面６６に取り外し可能に取り付けられ、容易に設置及び取り外しが可能である。例えば、フェースプレート６８は、環状又は片持ちスナップ嵌合機構を用いて、カードシュー本体６２上にスナップ嵌合できる。前面カバープレート９０をカードシュー本体６２上に設置すると、ロック機構９８が作動し、レバーアーム１０２を回転させてカードシュー本体６２と係合し、前面カバープレート９０をカードシュー本体６２にロックする。
【００２８】
前面カバープレート７６は堅固な前面８２を有するため、前面カバープレート７６は、カードシュー本体６２の前面６６を通るトランプカードへの接触を防止する。
【００２９】
カードシュー６０をゲームプレー用に構成するには、前面カバープレート９０のロックが解除され、カードシュー本体６２から取り外される。フェースプレート６８は、次に、カードシュー本体６２の前面６６に位置付けられ、取り付けられる。フェースプレート６８をカードシュー本体６２に再設置することで、トランプカードをカードシュー６０の出口６５から自由に引き出せるようになる。
【００３０】
図１７を参照すると、フェースプレートインサート１１０が設けられている。フェースプレートインサート１１０は、第一端１１２及び第二端１１４を含み、堅固な前面１１６を有している。フェースプレートインサート１１０は、フェースプレート６８の逆Ｖ形又は逆Ｕ形の開口７０内に嵌合する大きさに構成されている。
【００３１】
図１８を参照すると、カードシュー６０を保護するには、フェースプレートインサート１１０が、第一端１１２を開口７０の上部に隣接して位置付けられ、第二端１１４を前面６６の下部に位置付けながら、フェースプレート６８の開口７０に設置される。フェースプレートインサート１１０は、フェースプレート６８に取り外し可能に取り付けられ、容易に取り外しが可能である。例えば、フェースプレートインサート１１０は、環状又は片持ちスナップ嵌合機構を用いてフェースプレート６８上にスナップ嵌合できる。フェースプレートインサート１１０は堅固な前面１１６を有するため、フェースプレートインサート１１０は、フェースプレート６８の出口６４を通るトランプカードへの接触を防止する。
【００３２】
カードシュー６０をゲームプレー用に構成するには、フェースプレートインサート１１０をフェースプレート６８から取り外す。フェースプレートインサート１１０をフェースプレート６８から取り外すことにより、トランプカードをカードシュー６０の出口６４から自由に引き出せるようにする。
【００３３】
図１９を参照すると、フェースプレートインサート１２０が設けられている。フェースプレートインサート１２０は、第一端１２２及び第二端１２４を含み、堅固な前面１２６を有している。フェースプレートインサート１２０は、フェースプレート６８の逆Ｖ形又は逆Ｕ形の開口７０内に嵌合する大きさに構成されている。フェースプレートインサート１２０は、機械式アクチュエータ１３０とレバーアーム１３２とを有するロック機構１２８をさらに含み、アクチュエータ１３０の起動によって、レバーアーム１３２をロック解除位置からロック位置に、ロック位置からロック解除位置に回転させる。一実施例において、アクチュエータ１３０は、押下スイッチとして示され、該スイッチを押すことでレバーアーム１３２をロック解除位置からロック位置に、また、ロック位置からロック解除位置に回転させる。しかしながら、鍵システムや回転アクチュエータなどを含む他の機械式アクチュエータ１３０も考えられる。
【００３４】
図２０を参照すると、カードシュー６０を保護するには、フェースプレートインサート１２０は、第一端１２２を開口７０の上部に近接して位置付け、さらに第二端１２４を前面６６の下部に位置付けながら、フェースプレート６８の開口７０に設置される。フェースプレートインサート１２０は、フェースプレート６８に取り外し可能に取り付けられ、容易に外すことができる。例えば、フェースプレートインサート１２０は、環状又は片持ちスナップ嵌合機構を用いてフェースプレート６８上にスナップ嵌合できる。
【００３５】
フェースプレートインサート１２０をフェースプレート６８に設置すると、ロック機構１２８が作動して、レバーアーム１３２を回転させてフェースプレート６８に係合し、フェースプレートインサート１２０をフェースプレート６８及びカードシュー本体６２にロックする。フェースプレートインサート１２０は堅固な前面１２６を有するため、フェースプレートインサート１２０は、フェースプレート６８の出口６４を通るトランプカードへの接触を防止する。
【００３６】
カードシュー６０をゲームプレー用に構成するには、フェースプレートインサート１２０のロックが解除されフェースプレート６８から取り外される。フェースプレートインサート１２０をフェースプレート６８から取り外すことにより、トランプカードをカードシュー６０の出口６４から自由に引き出せるようになる。
【００３７】
上記の各カードシューは内部アラームを有することが可能であるとも考えられ、該アラームは、カードシュー保護システムを不適切に取り外すと作動する。
【００３８】
本明細書に引用された全ての参考文献は、その全ての内容を参照により本願明細書に明確に援用される。
【００３９】
本発明は、上述した本願明細書に特に示され、説明された内容に限定されるものではないことを当業者は理解するであろう。さらに、上記と反対の記載がない限り、添付図面の全てが拡大縮小するものではないことに留意する。本発明の範囲及び趣旨から逸脱せずに、上記の教示に照らしてさまざまな変形、変更が可能であり、それらは以下の請求項によってのみ限定される。
【図１】
2014515306.tif 000003
【図２】
2014515306.tif 000004
【図３】
2014515306.tif 000005
【図４】
2014515306.tif 000006
【図５】
2014515306.tif 000007
【図６】
2014515306.tif 000008
【図７】
2014515306.tif 000009
【図８】
2014515306.tif 000010
【図９】
2014515306.tif 000011
【図１０】
2014515306.tif 000012
【図１１】
2014515306.tif 000013
【図１２】
2014515306.tif 000014
【図１４】
2014515306.tif 000015
【図１６】
2014515306.tif 000016
【図１７】
2014515306.tif 000017
【図１８】
2014515306.tif 000018
【図１９】
2014515306.tif 000019
【図２０】
2014515306.tif 000020
【図１３】
2014515306.tif 000021
【図１５】
2014515306.tif 000022
【国際調査報告】
2014515306.tif 000023
2014515306.tif 000024
2014515306.tif 000025
2014515306.tif 000026